(57)【要約】【課題】簡単な構成によってコネクタ内への電線を伝った浸水を抑制すること。【解決手段】止水具は、端末に設けられたコネクタ４６ａ，４６ｂから上方に延在する電線群４１を有するワイヤハーネス４０に適用され、コネクタ４６ａ，４６ｂ内への電線群４１を伝った浸水を抑制する。止水具は、電線群４１の一部を下方から覆うとともに電線群４１を伝って落下する水を受ける受け部３６を有するベース部材２０と、電線群４１をベース部材２０に対して固定する結束バンド３５からなる固定部と、受け部３６を挟んで固定部とは反対側にて電線群４１を持ち上げる持ち上げ部２８とを備えている。ベース部材２０には、受け部３６内に開口するとともに受け部３６内の水を外部に排出する排水孔３７が設けられている。【選択図】図１
2020137202.tif 000002
【特許請求の範囲】
【請求項１】
端末に設けられたコネクタから上方に延在する電線を有するワイヤハーネスに適用され、前記コネクタ内への前記電線を伝った浸水を抑制する止水具において、
前記電線の一部を下方から覆うとともに前記電線を伝って落下する水を受ける受け部を有するベース部材と、
前記電線を前記ベース部材に対して固定する固定部と、
前記受け部を挟んで前記固定部とは反対側にて前記電線を持ち上げる持ち上げ部と、を備え、
前記ベース部材には、前記受け部内に開口するとともに前記受け部内の水を外部に排出する排水孔が設けられている、
ワイヤハーネス用の止水具。
【請求項２】
前記排水孔は、前記受け部内における最下位置に開口している、
請求項１に記載のワイヤハーネス用の止水具。
【請求項３】
前記固定部は、前記電線と前記ベース部材とを締結する結束バンドである、
請求項１または請求項２に記載のワイヤハーネス用の止水具。
【請求項４】
前記持ち上げ部は、前記ベース部材と一体に形成されている、
請求項１〜請求項３のいずれか一項に記載のワイヤハーネス用の止水具。
【請求項５】
前記受け部は、底面と、前記底面を囲む側面とを有しており、
前記側面には、前記底面に近接するほど下方に位置するように傾斜する傾斜部が設けられている、
請求項１〜請求項４のいずれか一項に記載のワイヤハーネス用の止水具。
【請求項６】
請求項１〜請求項５のいずれか一項に記載の止水具を備え、
前記ベース部材の前記受け部の下方には、前記コネクタを保持する保持部が一体に形成されており、
前記ベース部材に取り付けられ、前記コネクタを覆うカバー部材を備える、
コネクタホルダ。
【請求項７】
前記排水孔の出口は、前記保持部における前記コネクタが挿入される挿入口とは反対側を指向している、
請求項６に記載のコネクタホルダ。
【請求項８】
請求項６または請求項７に記載のコネクタホルダと、
前記コネクタに接続される前記端末から上方に延在する前記電線を有する前記ワイヤハーネスと、を備える、
ワイヤハーネスの止水構造。
【発明の詳細な説明】
【技術分野】
【０００１】
本発明は、ワイヤハーネス用の止水具、同止水具を備えるコネクタホルダ、及び同コネクタホルダを備えたワイヤハーネスの止水構造に関する。
【背景技術】
【０００２】
従来、自動車等においてはワイヤハーネスが配索されている。ワイヤハーネスは、電線の端末に設けられたコネクタを介して各種の機器に接続されている。こうしたコネクタ内への浸水を抑制するための種々の構成が開発されている（例えば特許文献１参照）。
【０００３】
特許文献１には、ワイヤハーネスの端末のコネクタ接続位置の手前で電線群に取り付けられてコネクタ内への浸水を阻止する止水具が開示されている。この止水具は、上端連結部の左右両端から上下縦方向に延在する両側枠部を備えたフレームと、フレームの両側枠部の内面に対向して突設する繊維毛状のブラシとを備えている。この止水具においては、フレームの上端連結部を電線群に取り付けて、両側のブラシの間に電線群を挿通させ、電線群の外面に付着してコネクタへと伝わる水滴をフレーム及びブラシとの接触で塞き止めて自重落下させる構成としている。
【先行技術文献】
【特許文献】
【０００４】
【特許文献１】特開２０１６−６７１１６号公報
【発明の概要】
【発明が解決しようとする課題】
【０００５】
ところで、特許文献１に記載の止水具の場合、繊維毛状のブラシが必要となることから、止水具の構成が複雑になるといった問題がある。
本発明の目的は、簡単な構成によってコネクタ内への電線を伝った浸水を抑制できるワイヤハーネス用の止水具、コネクタホルダ、及びワイヤハーネスの止水構造を提供することにある。
【課題を解決するための手段】
【０００６】
上記目的を達成するためのワイヤハーネス用の止水具は、端末に設けられたコネクタから上方に延在する電線を有するワイヤハーネスに適用され、前記コネクタ内への前記電線を伝った浸水を抑制するものにおいて、前記電線の一部を下方から覆うとともに前記電線を伝って落下する水を受ける受け部を有するベース部材と、前記電線を前記ベース部材に対して固定する固定部と、前記受け部を挟んで前記固定部とは反対側にて前記電線を持ち上げる持ち上げ部と、を備え、前記ベース部材には、前記受け部内に開口するとともに前記受け部内の水を外部に排出する排水孔が設けられている。
【０００７】
同構成によれば、受け部の上方にて固定部によって電線が固定されるとともに、受け部を挟んで固定部とは反対側にて持ち上げ部によって電線が持ち上げられる。このため、電線を伝って自重により移動する水は、電線の持ち上げられた部分を越えることができず、電線から受け部内に落下する。そして、受け部内に開口する排水孔を通じてベース部材の外部に排出されるようになる。これにより、コネクタ内への電線を伝った浸水が抑制される。
【０００８】
また、上記構成によれば、ブラシなどが不要であるため、止水具の構成を簡単にすることができる。
したがって、簡単な構成によってコネクタ内への電線を伝った浸水を抑制できる。
【０００９】
上記ワイヤハーネス用の止水具において、前記排水孔は、前記受け部内における最下位置に開口していることが好ましい。
同構成によれば、排水孔が受け部内における最下位置に開口していることから、受け部内の水を早期に排出することができ、受け部内に水が滞留することを抑制できる。したがって、受け部内の水が溢れることを抑制できる。
【００１０】
上記ワイヤハーネス用の止水具において、前記固定部は、前記電線と前記ベース部材とを締結する結束バンドであることが好ましい。
同構成によれば、電線とベース部材との固定は、結束バンドによって互いに締結すれば済むため、固定部の構成を簡単にすることができる。
【００１１】
上記ワイヤハーネス用の止水具において、前記持ち上げ部は、前記ベース部材と一体に形成されていることが好ましい。
同構成によれば、ベース部材の一部である持ち上げ部に電線を沿わせるだけで電線を容易に持ち上げることができる。また、止水具の部品点数の増加を抑制できる。
【００１２】
上記ワイヤハーネス用の止水具において、前記受け部は、底面と、前記底面を囲む側面とを有しており、前記側面には、前記底面に近接するほど下方に位置するように傾斜する傾斜部が設けられていることが好ましい。
【００１３】
同構成によれば、電線を伝って受け部の側面上に落下した水が傾斜部に沿って排水孔に向けて円滑に移動するようになる。したがって、電線から受け部内に落下した水を早期に排水することができる。
【００１４】
上記目的を達成するためのコネクタホルダは、前記止水具を備え、前記ベース部材の前記受け部の下方には、前記コネクタを保持する保持部が一体に形成されており、前記ベース部材に取り付けられ、前記コネクタを覆うカバー部材を備える。
【００１５】
同構成によれば、コネクタを保持する保持部と止水具とが１つのベース部材によって構成されている。このため、止水具を別途設ける場合に比べて、部品点数を減らすことができる。
【００１６】
また上記構成によれば、ベース部材にカバー部材を取り付けることによってコネクタが覆われる。このため、電線を伝っての浸水以外の経路によるコネクタ内への浸水についても抑制することができる。
【００１７】
上記コネクタホルダにおいて、前記排水孔の出口は、前記保持部における前記コネクタが挿入される挿入口とは反対側を指向していることが好ましい。
同構成によれば、排水孔からの水がコネクタの挿入口とは反対側に向けて排出されるようになる。このため、排水孔を通じて排出される水がコネクタ内に入り込むことを効果的に抑制できる。
【００１８】
上記目的を達成するためのワイヤハーネスの止水構造において、前記コネクタホルダと、前記コネクタに接続される前記端末から上方に延在する前記電線を有する前記ワイヤハーネスと、を備える。
【００１９】
同構成によれば、上記いずれか１つのワイヤハーネス用の止水具と同様な作用、または上記いずれか１つのコネクタホルダと同様な作用を奏することから、簡単な構成によってコネクタ内への電線を伝った浸水を抑制できる。
【発明の効果】
【００２０】
本発明によれば、簡単な構成によってコネクタ内への電線を伝った浸水を抑制できる。
【図面の簡単な説明】
【００２１】
【図１】ワイヤハーネスの止水構造を備えるコネクタホルダの一実施形態を示す断面図。
【図２】ワイヤハーネス、ベース部材、カバー部材、及び結束バンドを互いに離間して示す分解側面図。
【発明を実施するための形態】
【００２２】
以下、図１及び図２を参照して、ワイヤハーネス用の止水具、コネクタホルダ、及びワイヤハーネスの止水構造の一実施形態について説明する。
まず、ワイヤハーネス４０について説明する。
【００２３】
＜ワイヤハーネス４０＞
図１及び図２に示すように、ワイヤハーネス４０は、車両に配索されるものであり、複数の電線からなる電線群４１を有している。なお、図１においては、車両に配索された状態のワイヤハーネス４０の一部を示している。また、図１の上下方向は、鉛直方向である。以降において、鉛直方向を上下方向とし、鉛直方向の上方及び下方を単に上方及び下方として説明する。
【００２４】
電線群４１は、幹線４４と支線４５ａ，４５ｂとが被覆部材４２によって一括して被覆されている。また、電線群４１の下部においては、被覆部材４２が設けられておらず、幹線４４と支線４５ａ，４５ｂとが露出している。
【００２５】
各支線４５ａ，４５ｂの端末には、コネクタ４６ａ，４６ｂが設けられている。
本実施形態のワイヤハーネス４０は、各コネクタ４６ａ，４６ｂから２つの支線４５ａ，４５ｂが上方に延在するように配索される。
【００２６】
次に、各コネクタ４６ａ，４６ｂを保持するコネクタホルダ１０について説明する。
＜コネクタホルダ１０＞
図１及び図２に示すように、コネクタホルダ１０は、ベース部材２０、電線群４１のうち被覆部材４２によって被覆された部分（以下、被覆部４３）をベース部材２０に対して固定する固定部としての結束バンド３５、及びベース部材２０に取り付けられ、各コネクタ４６ａ，４６ｂを覆うカバー部材５０を備えている。なお、ベース部材２０及びカバー部材５０は、共に例えば硬質の合成樹脂材料によって形成されている。
【００２７】
＜ベース部材２０及び結束バンド３５＞
図１に示すように、ベース部材２０の下部には、各コネクタ４６ａ，４６ｂを保持する保持部２１が設けられている。
【００２８】
保持部２１の側面には、各コネクタ４６ａ，４６ｂが挿入される挿入口２２ａ，２２ｂが上下に並んで開口している。
また、保持部２１の挿入口２２ａ，２２ｂが開口する面とは反対側の側面には、各コネクタ４６ａ，４６ｂに電気的に接続されるコネクタ６１ａ，６１ｂが挿入される挿入口２３ａ，２３ｂが上下に並んで開口している。
【００２９】
なお、以降において、各コネクタ４６ａ，４６ｂの挿入方向（図１及び図２における左右方向）の前側及び後側を単に前側及び後側として説明する。
ベース部材２０における保持部２１の上方には、電線群４１の被覆部４３の経路を規制する経路規制部２４が一体に設けられている。
【００３０】
経路規制部２４は、底壁２５、底壁２５の前側に連なるとともに、前側ほど上側に位置するように傾斜する前側傾斜壁２６、底壁２５の後側に連なるとともに、後側ほど上側に位置するように傾斜する後側傾斜壁２７、後側傾斜壁２７の後側から前後方向に延在する持ち上げ部２８を有している。なお、持ち上げ部２８の後端は、挿入口２２ａ，２２ｂが開口するベース部材２０の側面と同一平面上に位置している。
【００３１】
経路規制部２４は、前側傾斜壁２６の上側に連なるとともに上下方向に沿って上方に延在する前壁２９、及び底壁２５の上方に位置し、底壁２５に対向する天井壁３０を有している。天井壁３０は、前側傾斜壁２６よりも上方であり、且つ前壁２９の上端よりも下方に位置している。
【００３２】
経路規制部２４の幅方向（紙面に直交する方向）の両側には、一対の側壁３１が設けられている。なお、図１においては、一方の側壁３１のみを示している。
天井壁３０の前端と前壁２９との間には、電線群４１をベース部材２０内に導入する導入口３２が開口している。天井壁３０の後端と持ち上げ部２８との間には、電線群４１をベース部材２０から導出する導出口３３が開口している。
【００３３】
図２に示すように、前側傾斜壁２６は、一対の貫通孔３４が幅方向に間隔をおいて設けられている。本実施形態では、一対の貫通孔３４が持ち上げ部２８の上面よりも下方に設けられている。
【００３４】
こうしたベース部材２０においては、コネクタ４６ａ，４６ｂ側から電線群４１を導入口３２からベース部材２０の内部に導入し、導出口３３から引き出すとともに、挿入口２２ａ，２２ｂにコネクタ４６ａ，４６ｂを挿入する。これにより、コネクタ４６ａ，４６ｂが保持部２１に保持される。
【００３５】
また、一対の貫通孔３４に結束バンド３５を挿通することによって、電線群４１とベース部材２０の前側傾斜壁２６とが締結される。持ち上げ部２８には、電線群４１の一部が載置される。このことによって、電線群４１は、受け部３６を挟んで結束バンド３５からなる固定部とは反対側にて持ち上げ部２８によって持ち上げられている。
【００３６】
本実施形態においては、底壁２５の上面である底面と、前側傾斜壁２６の内面、後側傾斜壁２７の内面、及び側壁３１の内面からなり、底面を囲む側面によって、電線群４１の一部を下方から覆うとともに電線群４１を伝って落下する水を受ける受け部３６が構成される。なお、前側傾斜壁２６の内面及び後側傾斜壁２７の内面が本発明に係る傾斜部に相当する。
【００３７】
底壁２５の上面である底面には、受け部３６内の水をベース部材２０の外部に排出する排水孔３７が開口している。排水孔３７は、受け部３６内における最下位置に開口している。排水孔３７は、上下方向に沿って延在する縦孔部３７ａと、縦孔部３７ａの下端から前側に向けて延在するとともに排水孔３７の出口を構成する横孔部３７ｂとからなり、断面Ｌ字状をなしている。したがって、排水孔３７の出口は、保持部２１における挿入口２２ａ，２２ｂとは反対側を指向している。
【００３８】
＜カバー部材５０＞
図１及び図２に示すように、カバー部材５０は、ベース部材２０に対して後側から取り付けられることで、電線群４１のうちカバー部材５０の後側に位置する部分全体を覆っている。なお、カバー部材５０は、図示しないねじによってベース部材２０に対して固定される。
【００３９】
次に、本実施形態の作用について説明する。
図１に示すように、受け部３６の上方にて結束バンド３５からなる固定部によって電線群４１が固定されるとともに、受け部３６を挟んで固定部とは反対側にて持ち上げ部２８によって電線群４１が持ち上げられる。このため、電線群４１を伝って自重により移動する水は、電線群４１の持ち上げられた部分を越えることができず、電線群４１から受け部３６内に落下する。そして、同図の一点鎖線にて示すように、受け部３６内に開口する排水孔３７を通じて外部に排出されるようになる。
【００４０】
次に本実施形態の効果について説明する。
（１）止水具は、端末に設けられたコネクタ４６ａ，４６ｂから上方に延在する電線群４１を有するワイヤハーネス４０に適用され、コネクタ４６ａ，４６ｂ内への電線群４１を伝った浸水を抑制する。止水具は、電線群４１の一部を下方から覆うとともに電線群４１を伝って落下する水を受ける受け部３６を有するベース部材２０と、電線群４１をベース部材２０に対して固定する結束バンド３５からなる固定部と、受け部３６を挟んで固定部とは反対側にて電線群４１を持ち上げる持ち上げ部２８とを備えている。ベース部材２０には、受け部３６内に開口するとともに受け部３６内の水を外部に排出する排水孔３７が設けられている。
【００４１】
こうした構成によれば、上述した作用を奏することにより、コネクタ４６ａ，４６ｂ内への電線群４１を伝った浸水が抑制される。また、上記構成によれば、ブラシなどが不要であるため、止水具の構成を簡単にすることができる。したがって、簡単な構成によってコネクタ４６ａ，４６ｂ内への電線群４１を伝った浸水を抑制できる。
【００４２】
（２）排水孔３７は、受け部３６内における最下位置に開口している。
こうした構成によれば、排水孔３７が受け部３６内における最下位置に開口していることから、受け部３６内の水を早期に排出することができ、受け部３６内に水が滞留することを抑制できる。したがって、受け部３６内の水が溢れることを抑制できる。
【００４３】
（３）固定部は、電線群４１とベース部材２０とを締結する結束バンド３５である。
こうした構成によれば、電線群４１とベース部材２０との固定は、結束バンド３５によって互いに締結すれば済むため、固定部の構成を簡単にすることができる。
【００４４】
（４）持ち上げ部２８は、ベース部材２０と一体に形成されている。
こうした構成によれば、ベース部材２０の一部である持ち上げ部２８に電線群４１を沿わせるだけで電線群４１を容易に持ち上げることができる。また、止水具の部品点数の増加を抑制できる。
【００４５】
（５）受け部３６は、底壁２５の上面である底面と、前側傾斜壁２６の内面、後側傾斜壁２７の内面、及び側壁３１の内面からなり、底面を囲む側面とを有している。側面には、底面に近接するほど下方に位置するように傾斜する内面を有する傾斜壁２６，２７が設けられている。
【００４６】
こうした構成によれば、電線群４１を伝って受け部３６の側面上に落下した水が傾斜壁２６，２７の内面に沿って排水孔３７に向けて円滑に移動するようになる。したがって、電線群４１から受け部３６内に落下した水を早期に排水することができる。
【００４７】
（６）コネクタホルダ１０は、上記止水具を備え、ベース部材２０の受け部３６の下方には、コネクタ４６ａ，４６ｂを保持する保持部２１が一体に形成されており、ベース部材２０に取り付けられ、コネクタ４６ａ，４６ｂを覆うカバー部材５０を備えている。
【００４８】
こうした構成によれば、コネクタ４６ａ，４６ｂを保持する保持部２１と止水具とが１つのベース部材２０によって構成されている。このため、止水具を別途設ける場合に比べて、部品点数を減らすことができる。
【００４９】
また上記構成によれば、ベース部材２０にカバー部材５０を取り付けることによって電線群４１の端末が覆われる。このため、電線群４１を伝っての浸水以外の経路によるコネクタ４６ａ，４６ｂ内への浸水についても抑制することができる。
【００５０】
（７）排水孔３７の出口は、保持部２１における電線群４１の端末側とは反対側を指向している。
こうした構成によれば、排水孔３７からの水が電線群４１の端末側とは反対側に向けて排出されるようになる。このため、排水孔３７を通じて排出される水がコネクタ４６ａ，４６ｂ内に入り込むことを阻止できる。
【００５１】
（８）ワイヤハーネス４０の止水構造は、コネクタホルダ１０と、コネクタ４６ａ，４６ｂに接続される端末から上方に延在する電線群４１を有するワイヤハーネス４０とを備えている。
【００５２】
こうした構成によれば、上記（１）〜（７）と同様な作用効果を奏することができる。
＜変更例＞
上記実施形態は、例えば以下のように変更することもできる。上記実施形態及び以下の変更例は、技術的に矛盾しない範囲で互いに組み合わせて実施することができる。
【００５３】
・側壁３１の内面を、前側傾斜壁２６の内面や後側傾斜壁２７の内面と同様、受け部３６の底面に近接するほど下方に位置するように傾斜させることもできる。
・前側傾斜壁２６及び後側傾斜壁２７の少なくとも一方を、前壁２９と同様、上下方向に沿って延在する壁に変更することもできる。
【００５４】
・持ち上げ部２８をベース部材２０と別体として構成してもよい。
・結束バンド３５に代えて、テープを用いて電線群４１をベース部材２０に対して固定することもできる。
【００５５】
・排水孔３７は、受け部３６内における最下位置に開口するものに限定されない。例えば排水孔３７を前側傾斜壁２６などに設けることもできる。
・排水孔３７は断面Ｌ字状をなすものに限定されない。他に例えば、縦孔部３７ａのみからなる排水孔であってもよい。この場合、排水孔の出口は下方を指向する。
【００５６】
・本発明に係る止水具のベース部材は、コネクタホルダ１０を構成する保持部２１と一体に形成されるものに限定されない。ベース部材がコネクタホルダと別体であってもよい。また、コネクタホルダに代えて、例えばＥＣＵ（Electric Control Unit:電子制御装置）ボックスの上方に、本発明に係る止水具を適用することもできる。
【符号の説明】
【００５７】
１０…コネクタホルダ、２０…ベース部材、２１…保持部、２２ａ，２２ｂ…挿入口、２３ａ，２３ｂ…挿入口、２４…経路規制部、２５…底壁、２６…前側傾斜壁、２７…後側傾斜壁、２８…持ち上げ部、２９…前壁、３０…天井壁、３１…側壁、３２…導入口、３３…導出口、３４…貫通孔、３５…結束バンド（固定部）、３６…受け部、３７…排水孔、３７ａ…縦孔部、３７ｂ…横孔部、４０…ワイヤハーネス、４１…電線群、４２…被覆部材、４３…被覆部、４４…幹線、４５ａ，４５ｂ…支線、４６ａ，４６ｂ…コネクタ、５０…カバー部材、６１ａ，６１ｂ…コネクタ。
【図１】
2020137202.tif 000003
【図２】
2020137202.tif 000004